(57)【要約】  環境の影響を受けずに計測値を安定的に認識可能な計測データ処理システムを、計測結果を表示する光源付きの表示部を有する計測器と，前記計測器の表示部上に設置された、前記光源の光の透過率がそれぞれ異なる複数の計測器識別媒体と、前記表示部に表示された計測結果と前記計測器識別媒体を画像として撮像する画像取得手段と、前記取得した画像から前記計測器識別媒体を判別して、判別した計測器識別情報により検索した画像処理パラメータに従い計測結果を認識して、計測データまたはエラーデータを出力する計測データ処理装置とを備えて構成する。
2016009740.tif 000002
【特許請求の範囲】
【請求項１】
計測結果を表示する光源付きの表示部を有する計測器と、
前記計測器の表示部上に設置された、前記光源の光の透過率がそれぞれ異なる複数の計測器識別媒体と、
前記表示部に表示された計測結果と前記計測器識別媒体を画像として撮像する画像取得手段と、
前記取得した画像から前記計測器識別媒体を判別して、判別した計測器識別情報により検索した画像処理パラメータに従い計測結果を認識して、計測データまたはエラーデータを出力する計測データ処理装置とを有する
ことを特徴とする計測データ処理システム。
【請求項２】
一端を前記画像取得手段に固定し、もう一端を前記計測器に固定して、前記画像取得手段を前記計測器の表示部と対向する位置に保持する支持手段を更に有する
ことを特徴とする請求項１に記載の計測データ処理システム。
【請求項３】
前記計測器の表示部、および前記画像取得手段を内部に収め、前記表示部への外光の映り込みを防止するカバーを更に有することを特徴とする請求項１に記載の計測データ処理システム。
【請求項４】
前記計測器の表示部、および前記画像取得手段を内部に収め、前記表示部への外光の映り込みを防止するカバーを更に有し、
前記カバーは、前記計測器の筐体に接続して固定され、
前記カバー内に一端を固定して、前記画像取得手段を前記計測器の表示部と対向する位置に保持する支持手段を更に有することを特徴とする請求項１に記載の計測データ処理システム。
【請求項５】
前記複数の透過率が異なる計測器識別媒体は、それぞれ素材が異なる
ことを特徴とする請求項１乃至４のいずれかの請求項に記載の計測データ処理システム。
【請求項６】
前記複数の透過率が異なる計測器識別媒体は、それぞれ厚みが異なる
ことを特徴とする請求項１乃至４のいずれかの請求項に記載の計測データ処理システム。
【請求項７】
前記複数の透過率が異なる計測器識別媒体は、それぞれ識別コードの種類が異なる
ことを特徴とする請求項１乃至４のいずれかの請求項に記載の計測データ処理システム。
【請求項８】
前記複数の透過率が異なる計測器識別媒体は、それぞれ識別コードのパターンの大きさ、またはパターン密度が異なる
ことを特徴とする請求項１乃至４のいずれかの請求項に記載の計測データ処理システム。
【請求項９】
前記複数の計測器識別媒体は、前記表示部上に設置された支持層上に設置される
ことを特徴とする請求項１乃至４のいずれかの請求項に記載の計測データ処理システム。
【請求項１０】
前記支持層は、計測器に設置された支持手段によって、前記表示部の表面と空隙を持たせて平行に支持される
ことを特徴とする請求項９に記載の計測データ処理システム。
【請求項１１】
前記支持層は、素材または厚みまたはその両方が異なる複数の支持層を有する
ことを特徴とする請求項９に記載の計測データ処理システム。
【請求項１２】
前記画像取得手段により取得した画像は、１枚の画像内に計測結果と計測器識別媒体の両方を有することを特徴とする請求項１に記載の計測データ処理システム。
【請求項１３】
前記計測データ処理装置は、取得した画像情報、処理の経過を示す解析情報、および、計測器識別媒体の判別処理、計測結果の認識に失敗した場合のエラー情報、または、それらのいずれか１つ以上を出力する
ことを特徴とする請求項１に記載の計測データ処理システム。
【請求項１４】
前記エラー情報は、エラーを示すコード、計測器識別媒体の読み取りのみ成功した場合の計測器識別情報、または、それらの両方を出力する
ことを特徴とする請求項１３に記載の計測データ処理システム。
【発明の詳細な説明】
【技術分野】
【０００１】
本発明は、各種計測器の計測結果表示部より計測データを認識して、計測結果を出力する計測データ処理システムに関する。
【背景技術】
【０００２】
交通車両などの製造現場において、各製造工程における車両構造体の各部の寸法・性能測定、製造環境における各種物理量などは、各種計測器により測定されて、それらの計測データを検査帳票として纏める手続きは、人手を介することが多かった。作業者が各種計測器の計測結果を読み取り、検査帳票へ書き込む、または検査帳票システムへ入力する手続きを行えば、必ず入力ミスが付きまとい、作業効率も上げられないままであった。【０００３】
各種計測器に共通のインタフェースを設置して、各種計測器の測定データを自動でアップロードして、集計を行うシステムを構成することは将来の理想像ではあるが、既存の個別に製造された各種計測器に共通のインタフェースを内蔵させるためには、個別に各種計測器を設計し直す必要があり、大掛かりなシステム構築となってしまう。【０００４】
そこで、汎用品として使用されている各種計測器の計測結果表示部より、外部から計測データを認識して、計測結果を例えば検査帳票システムへ出力するコンパクトな計測データ処理システムを構想した。【０００５】
本技術分野の背景技術として、特許第３５８７７７５号公報（特許文献１）がある。この公報には、「所定の計測装置が計測し表示した計測データを解析し、その解析結果を所定の処理装置へ出力する表示データ解析装置であって、画像を撮像する撮像手段と、前記計測装置が表示した計測データを検出するための検出補助情報として前記計測装置に貼られる指標を利用して、前記撮像手段によって撮像された画像のなかの前記計測装置が表示した計測データを検出する検出手段と、前記検出手段によって前記計測データが検出された場合、前記計測装置が表示した計測データを解析するための解析補助情報を利用して、前記撮像手段によって撮像された計測データを解析する解析手段と、前記解析手段によって解析された解析結果を出力する出力手段とを備えたことを特徴とする表示データ解析装置」と記載され、また「計測データの表示部の外周部に隣接するように貼られることを特徴とする」と記載されている。【０００６】
また、特開２０１２―１８１５９１号公報（特許文献２）がある。この公報には、「各種商品に識別媒体を貼り付けて、その識別媒体を用いて対象物の真正性を識別するために使用される用途において、悪意の第三者に識別媒体の改造、偽造、複製が容易に行えないようにすることが重要である。そのため、光源を有する液晶ディスプレイの表面に設けられ、光源から射出された光を透過させる透明シートの一部又は全体に、その光に対して複屈折を生じさせる１つ以上の偏光領域を含む２次元コード(識別媒体)を成型する。」と記載されている。
【先行技術文献】
【特許文献】
【０００７】
【特許文献１】特許第３５８７７７５号公報
【特許文献２】特開２０１２―１８１５９１号公報
【発明の概要】
【発明が解決しようとする課題】
【０００８】
前記特許文献１には、計測器の計測データ表示画面の周囲に貼り付けた識別コードを認識し、計測値を解析する装置が記載されている。しかし、例えば製造現場などにおいて、各種計測器の測定環境を考慮すると、特許文献１の解析装置では使用する環境によって計測値および識別コードの認識率が下がる可能性がある。【０００９】
このような解析装置では、例えば、計測値の表示部に外光が映り込んだ場合、計測値の認識率低下や、異なる数字と読み間違える誤認識が起きる場合がある。また、計測器をカバー等で覆い外光を遮断した場合、表示部はバックライト機能等を有していれば認識できるが、表示部の周囲に貼り付けられた識別コードには光が当たらないため、認識できない場合がある。【００１０】
また、前記特許文献２には、光源を有するディスプレイ上に光を透過する２次元コードを貼る読取方法が記載されている。しかし、特許文献２の読取方法は読み取り位置が固定された場合、識別コードの認識率が下がる可能性がある。
このような読み取り方法では、例えば、ディスプレイなど表示部の表示内容が変わると、表示部から発せられる光量が変化するため、表示部上に設置された識別コードの光の透過量が変化し、識別コードの認識率が低下する場合がある。【００１１】
識別コードの読み取り位置が可変であれば、光の透過率の変化に応じて読み取り位置を変えることで認識率が上がる場合がある。しかし、外光の影響を排除するために表示部を覆うカバーなどを設置した場合、カバー内にカメラなどの読み取り装置を固定する必要がある。
また、カバー内の読み取り装置に駆動機構を設ける方法も考えられるが、設置スペースの問題や、装置が高価となることが課題である。【００１２】
そこで、本発明は、環境の影響を受けずに計測値を安定的に認識可能な計測データ処理システムを提供する。
【課題を解決するための手段】
【００１３】
上記課題を解決するために本発明では、計測データ処理システムを、計測結果を表示する光源付きの表示部を有する計測器と、前記計測器の表示部上に設置された、前記光源の光の透過率がそれぞれ異なる複数の計測器識別媒体と、前記表示部に表示された計測結果と前記計測器識別媒体を画像として撮像する画像取得手段と、前記取得した画像から前記計測器識別媒体を判別して、判別した計測器識別情報により検索した画像処理パラメータに従い計測結果を認識して、計測データまたはエラーデータを出力する計測データ処理装置とを備えて構成した。【００１４】
また、上記課題を解決するために本発明では、前記計測データ処理システムにおいて、前記計測器の表示部、および前記画像取得手段を内部に収め、前記表示部への外光の映り込みを防止するカバーを更に有し、前記カバーは、前記計測器の筐体に接続して固定され、前記カバー内に一端を固定して、前記画像取得手段を前記計測器の表示部と対向する位置に保持する支持手段を更に有するように構成した。【００１５】
また、上記課題を解決するために本発明では、前記計測データ処理システムにおいて、前記複数の透過率が異なる計測器識別媒体は、それぞれ素材が異なるように構成した。【００１６】
また、上記課題を解決するために本発明では、前記計測データ処理システムにおいて、前記複数の透過率が異なる計測器識別媒体は、それぞれ厚みが異なるように構成した。【００１７】
また、上記課題を解決するために本発明では、前記計測データ処理システムにおいて、前記複数の透過率が異なる計測器識別媒体は、それぞれ識別コードの種類、識別コードのパターンの大きさ、またはパターン密度が異なるように構成した。
【発明の効果】
【００１８】
計測器に設置した計測器識別コードは、固定された読取手段では安定した認識が困難であったが、本発明により安定した認識が可能となり、簡易な計測体系を構築できる。
上記した以外の課題、構成及び効果は、以下の実施形態の説明により明らかにされる。
【図面の簡単な説明】
【００１９】
【図１】(a)：本発明の第１の実施形態に係る計測データ処理システムの概略構成図であり、(b)：計測データ処理システムの計測器および画像取得手段の構成図である。
【図２】計測データ処理装置の概略構成図である。
【図３】計測データ処理システムの計測器および画像取得手段の構成図の断面図である。
【図４】本発明の第２の実施形態に係る計測データ処理システムの計測器と画像取得手段の構成図である。
【図５】本発明の第３の実施形態に係る計測データ処理システムの計測器と画像取得手段の構成図である。
【図６】本発明の第４の実施形態に係る計測データ処理システムの計測器と画像取得手段の構成図である。
【図７】本発明の第５の実施形態に係る計測データ処理システムの計測器と画像取得手段の構成図である。
【図８】本発明の第６の実施形態に係る計測データ処理システムの計測器と画像取得手段の構成図である。
【図９】本発明の第７の実施形態に係る計測データ処理システムの計測器と画像取得手段の構成図である。
【図１０】本発明の第７の実施形態に係る計測データ処理システムの計測器と画像取得手段の構成図である。
【図１１】本発明の第８の実施形態に係る計測データ処理システムの計測器と画像取得手段の構成図である。
【図１２】本発明の第９の実施形態に係る計測データ処理システムの計測器と画像取得手段の構成図である。
【図１３】本発明の第１の実施形態に係る計測データ処理装置における計測データ処理のフローチャートである。
【図１４】計測結果認識処理の詳細なフローチャートである。
【図１５】解析設定DBのデータテーブルの形式の一例を示す図である。
【図１６】検査帳票システムの表示例を示す図である。
【発明を実施するための形態】
【００２０】
以下、実施例を図面を用いて説明する。
【実施例１】
【００２１】
本実施例では、計測データ処理システムの例を説明する。図１(a)は、本実施例の計測データ処理システム１００の概略構成図の例である。
図１(a)の計測データ処理システム１００は、例えば何らかの物理量を計測する汎用の計測器１０５と、該計測器の表示画面に対向して位置決められる画像取得手段１０１と、転送手段１１２と、計測データ処理装置１１１から構成される。【００２２】
計測器１０５は、計測結果を例えばデジタル表示するディスプレイである計測結果表示部１０４を有し、その計測結果表示部１０４の上面には、その計測器がいずれの機種の計測器であるのかを計測データ処理システムが識別するために利用する計測器識別媒体１０２が配置、貼り付けされている。
計測器１０５は例えば、レーザ距離計、レーザレベル計、デジタルマイクロメータ、デジタルノギス、デジタル棒ゲージなどの寸法計測器、または、時間を計測する時計やストップウォッチなどである。また、屋内や屋外の環境を計測する温度計や湿度計などである。また、体重計、体温計、血圧計などの電子健康モニタである。
計測データ処理システム１００は、前記計測器１０５の計測結果表示部１０４の上面に配置された計測器識別媒体１０２も構成要素に含む。【００２３】
計測結果表示部１０４は例えば、液晶、LED、有機ELを用いたディスプレイである。ディスプレイには計測結果が表示される。液晶ディスプレイでは、背面に光源（バックライト）を設置することで視認性を高める場合がある。また、LED、有機ELディスプレイでは、ディスプレイ自体が光源となり発光する。計測結果の表示方法としては例えば、表示されるブロックの数や大きさで量を示す方法がある。また、数字や文字をデジタル表示する方法がある。デジタル表示方法としては、７セグメント方式、１４セグメント方式、ドットマトリックス方式などがある。【００２４】
計測器識別媒体１０２は例えば、バーコードのような１次元コードやQRコード（登録商標）のような２次元コードである。これらの識別コードを使うことで計測器の識別情報を数字や文字列として保持することができる。また、計測器ごとに異なる特定の記号（星、多角形、丸など）を用いても構わない。【００２５】
画像取得手段１０１は、計測器１０５の計測結果表示部１０４および計測器識別媒体１０２を撮像し、画像を取得する。画像取得手段１０１で取得した画像は、転送手段１１２により計測データ処理装置１１１に転送される。
画像取得手段１０１は例えば、図１(b)に示すようにデジタルカメラやスキャナなどである。画像取得手段１０１により、計測結果表示部１０４内を視野に捉えて撮像する。その視野内には、２つの計測器識別媒体１０２Ａ，１０２Ｂが配置され、計測器の計測結果が表示されている。取得した画像の保存形式としては、BMP，PNG，JPEGなどがある。【００２６】
画像取得手段１０１で取得する画像は、少なくとも画像内に計測結果表示部１０４に表示される計測結果と計測器識別媒体１０２とを含む。複数の画像を１組のデータとして計測データ処理装置１１１に転送してもよい。また、複数の画像を結合して１枚の画像としてもよい。
１枚の画像のみで処理する場合、画像取得、画像転送、画像処理の時間や計算負荷が低減される。また、位置や角度の異なる複数の画像を取得する必要がなく、構成装置が簡素化できる。【００２７】
転送手段１１２は例えば、電子機器を接続する有線のケーブルであり、RS-232C準拠、USB規格準拠、IEEE1394規格準拠などのシリアル通信手段がある。また、無線で転送する方式として、無線LAN、Bluetooth（登録商標）、ZigBee、赤外線通信ではIrDAなどの各規格に準拠した通信手段がある。また、画像取得手段１０１と計測データ処理装置１１１を同一回路基板上に配置する構成も考えられ、その場合には回路基板上の配線が転送手段１１２となり得る。【００２８】
計測データ処理装置１１１は例えば、画像取得手段１０１が撮像した計測器１０５の計測結果表示部１０４の画像データを入力して、画像処理によって計測結果データを認識して出力する画像処理プログラムを実行する計算機である。この計算機は、上記したような画像取得手段１０１と同一回路基板上に構成されたCPUとメモリと入出力インタフェースを備えた最少構成も考えられるが、各種計測器から計測データを収集して検査帳票を作成して、各種解析、判定を行う管理用計算機に、前記画像処理プログラムを実装して、各種計測器１０５から計測データを収集する構成も考えられる。【００２９】
図２に概略構成を示す計測データ処理装置は、例えば汎用の計算機上に、他の管理用機能と同居させて、計測データ処理機能を実装した構成を示している。
記憶部１３０には、本発明に係る計測データ処理プログラムを記憶する領域１３１、画像処理の各種パラメータを予めデータベースとして記憶しておく解析設定DB１３２、および画像取得手段が撮像した画像データを格納する撮像画像データ記憶領域１３３とを有する。【００３０】
制御部１２０には、記憶部１３０から読み出した計測データ処理プログラムをCPUにおいて実行して実現する以下の各機能部を備える。
計測器判定部１２１は、画像取得手段１０１が撮像した画像データから、計測器識別媒体１０２を切り出して認識して、計測器１０５の種別を判定する。
計測結果画像処理部１２２は、計測器判定部１２１が判定した計測器の種別情報に従って、解析設定DB１３２から計測器の種別に応じた画像処理パラメータを読出し、該画像処理パラメータに従って、画像取得手段１０１が撮像した画像データから、計測器の計測結果表示を切り出して認識して、計測データを作成する。
ＯＣＲ処理部１２３は、計測器判定部１２１または計測結果画像処理部１２２において、画像取得手段１０１が撮像した画像データから切り出された領域に対して、ＯＣＲ処理を実行する。
計測データ出力部１２４は、計測結果画像処理部１２２が認識して作成した計測データを、例えば検査帳票データ管理システムへ出力する。【００３１】
入力部１４０は、例えばキーボード、マウスなどを用いて、予め解析設定DBなどを登録、その他のデータ・指示入力などに使用される。
表示部１５０は、例えばディスプレイ装置などであり、撮像画像の処理のモニター、計測データを検査帳票テーブルに格納する際の画面表示、解析設定DBの登録処理などに使用される。
通信部１６０は、画像取得手段１０１と計測データ処理装置１１１とを接続する転送手段１１２の計測データ処理装置側の入出力インタフェースである。【００３２】
図３は、本実施例の計測データ処理システムにおいて、読み取り対象の計測器１０５に対向させて、画像取得手段１０１を撮像位置へ位置決めした構成図の断面図の例である。これは、計測器１０５のディスプレイ画面(計測結果表示部)１０４に、人手により画像取得手段１０１を向けた場合、または、固定された画像取得手段１０１へ向けて計測器１０５のディスプレイ画面を撮像のために位置決めした状態を想定している。【００３３】
本発明の計測データ処理システム１００は、それぞれ異なるメーカから提供されて、異なるデータ出力形式を持つ様々な種類の汎用の計測器を対象として、ディスプレイ画面に表示される計測結果を共通の画像取得手段１０１によって撮像して、画像処理によって計測結果を認識して、計測データを統一の手段で取得するものです。
それを可能とするため、本発明では図１(b)に示すように、計測器１０５に備わっているディスプレイ画面(計測結果表示部)１０４の表面に計測器識別媒体１０２Ａ，１０２Ｂを適切に配置して、ディスプレイ画面(計測結果表示部)が発する光量を利用して、計測器識別媒体の認識精度を高めたところに特徴がある。【００３４】
本発明の計測データ処理システム１００が対象とする汎用の計測器２０５は、発光する計測結果表示部(ディスプレイ画面)１０４を有し、計測結果表示部１０４表面には、複数の計測器識別媒体１０２Ａ，１０２Ｂが配置、貼り付けられている。ここで、計測器識別媒体１０２Ａ，１０２Ｂは、計測器２０５を識別するための情報をそれぞれ保持する。計測器を識別できる最小限の情報を保持していればよく、計測器識別媒体１０２Ａ，１０２Ｂの保持する全ての情報が完全に一致している必要はない。【００３５】
計測器識別媒体１０２Ａ，１０２Ｂは、計測結果表示部２０４が発光する光を透過し、光の透過率がそれぞれ異なることを特徴とする。
計測器識別媒体として、例えば、透明なシートに２次元コードを印字した場合、２次元のパターンが印字された箇所は光を透過せず、パターンが印字されていない箇所は透明なままであり光を透過する。光の透過の有無により画像上のパターンと背景を２値化し、２次元コードを認識することができる。この際、複数の計測器識別媒体１０２Ａ，１０２Ｂのそれぞれにおいて、印字するシートを透明度が互いに異なる素材に変えることにより、パターンのない箇所の光の透過率を変えることができる。【００３６】
光源を有する表示部の上に計測器識別媒体１０２Ａ，１０２Ｂを配置することで、計測器識別媒体の視認性が向上し、計測器識別媒体の認識率が向上する。
計測結果表示部１０４の画面内の表示内容が変わると、光源から計測器識別媒体１０２に届く光量が変化するため、ある特定の光量で読み取りが最適に出来るように画像取得手段１０１の位置や角度を設定した場合に、光量の変化により画像上のパターンのない箇所の輝度に変化が生じて、２値化したパターンの輪郭が不明瞭となり、認識率(パターンを正しく認識する割合)が低下する可能性がある。その対策として、光の透過率の異なるシートより作成した計測器識別媒体１０２を複数配置することで、画像上のパターンと背景との輝度の差異の変化の程度を異ならせることが出来るので、複数個所に配置したいずれか１つの計測器識別媒体１０２のパターン認識が正しく行われた時に、複数の計測器識別媒体の認識処理が完了したことにする判定方式を採用すると、表示部の光量変化が起こっても、パターン認識が正しく行われる確率が向上して、計測器識別媒体の認識率が向上する。【００３７】
そこで、複数の計測器識別媒体１０２Ａ，１０２Ｂの光の透過率を変える方法として、素材を統一し、厚みのみを変えてもよい。素材を統一することで、コストを低減できる。また、素材、厚みを統一し、識別コードの種類を変えてもよい。例えば、少なくとも同一の計測器識別情報を含む１次元コードと２次元コードをそれぞれ別個に配置することで、パターンが変化し、光の透過率が変化する。また、素材、厚みを統一し、同じ種類の識別コードを用いてパターンの大きさや複雑さを変えてもよい。各識別コードが持つ計測器以外の情報に差を設けることで情報量によって複雑さの異なるパターンを作成することができる。例えば、QRコードを使用する場合は、大きさを変えることの他に、固定のパターン以外の符号のセルを異なるパターンとすることになる。素材、厚みを統一することで、素材のみを統一した場合よりもさらにコストを低減できる。
計測器識別媒体を構成する素材としては、例えばセロファン、ポリプロピレンフィルム、ポリエチレンフィルムなどの透明な合成樹脂フィルムなどが利用できる。【００３８】
図１３は、本実施例の計測データ処理装置１１１における計測データ処理のフローチャートの例である。
例えば、図１６に示すような検査帳票２２０を表示部１４０に表示させている検査帳票管理プログラムが計測データ処理装置１１１で実行されていて(図２では図示せず)、図１６のデータ欄の第３行目の検査項目Ｈ１(２２６)の実測値２２４の欄が空欄となっていてカーソル２２７が表示されて入力待ちとなっている。この時に、本実施例の計測データ処理プログラムがCALLされ、該当する検査項目Ｈ１(２２６)を計測する製造現場にある計測器１０５の計測結果表示部１０４を撮像するために、画像取得手段１０１の起動スイッチが入った(例えば検査者がスイッチを入れた時)時点で、本計測データ処理プログラムが実行される。【００３９】
図１３のフローチャートに基づく動作は以下のとおりである。
ステップＳ１０１において、計測データ処理装置１１１の計測器判別部１２１は、転送手段１１２、通信部１５０を介して、画像取得手段１０１で取得した画像データを入力として受け付ける。【００４０】
ステップＳ１０２において、計測データ処理装置１１１の計測器判別部１２１は、前記入力を受け付けた画像に対して、画像上の計測器識別媒体１０２の読み取りを実行する。計測器識別媒体１０２は予め計測器の計測結果表示部の適切な位置に複数個配置されていて、少なくとも１つの計測器識別媒体の認識処理が正常に完了すれば、本判別処理を終了する。本判別処理では、計測器識別コードを特定する。
ステップＳ１０３において、ステップＳ１０２の計測器識別媒体の判別が正常に出来た場合はステップＳ１０４へ、判別が正常に出来なかった場合はステップＳ１０８へ進む。【００４１】
ステップＳ１０４において、計測データ処理装置１１１の計測結果画像処理部１１２は、ステップＳ１０２で特定した計測器識別コードの情報に応じて、解析設定DB１３２から画像処理パラメータを読み出す。
解析設定DB１３２は、図１５に示すデータテーブル２００の形式にて予め作成されている。データテーブル２００は、計測データ処理対象２０１、画像回転２０５、斜影抽出領域２０６、矩形抽出領域２０７、解析条件詳細設定２０８の各データ項目欄より構成されて、計測器識別コードに対応して、各行の前記各データ項目欄に画像処理パラメータが定義されて、登録されている。図１５では、４種の計測器の画像処理パラメータが登録されている例を示している。
計測結果画像処理部１１２は、特定された計測器識別コードにより解析設定DB１３２が検索されて、該当する行の画像処理パラメータが読み出される。【００４２】
ステップＳ１０５において、計測結果画像処理部１１２は、読み出された画像処理パラメータに従って、ステップＳ１０１で入力を受け付けた画像を解析し、画像中に含まれる計測結果の認識処理を実行する。本認識処理の詳細を図１４のフローチャートに記載する。【００４３】
ステップＳ２０１において、画像回転のパラメータ２０５に従って、画像角度を調整する。
ステップＳ２０２において、画像面は傾斜があることを前提として、画像内の計測結果の数字の領域を大枠で切り出すための４隅のＸ，Ｙ座標を、解析設定DBデータテーブル２００の斜影抽出領域２０６のパラメータにより設定する。
ステップＳ２０３において、ステップＳ２０２で４隅の座標を設定した領域を切り出し、画像面の傾斜を補正する。【００４４】
ステップＳ２０４において、前記傾斜を補正した画像から、画像内の計測結果の数字の領域をより正確な矩形領域に切り出すための対向する２隅のＸ，Ｙ座標を、解析設定DBデータテーブル２００の矩形抽出領域２０７のパラメータにより設定する。
ステップＳ２０５において、ステップＳ２０４で２隅の座標を設定した矩形領域を切り出す。【００４５】
ステップＳ２０６において、前記切り出した矩形領域内の計測結果の数字を認識するために、２値化の探索開始閾値を解析設定DBデータテーブル２００の探索開始閾値欄２０９より読み出して、初期閾値に設定する。
ステップＳ２０７において、前記設定された閾値により、前記矩形領域の画像を２値化する。【００４６】
ステップＳ２０８において、前記２値化された前記矩形領域の画像に対して、解析設定DBデータテーブル２００のデジタル表示方法の欄２０４のパラメータに対応するＯＣＲプログラムを選択して、ＯＣＲ処理を実行する。
ステップＳ２０９において、前記ＯＣＲ処理の結果、前記矩形領域内の計測結果の数字が全て正常に読出し出来た場合には、本計測結果認識処理を終了する。１つの数字でも正常に読出し出来なかった場合には、ステップＳ２１０へ進む。【００４７】
ステップＳ２１０において、前記設定された閾値の値を所定の刻み幅で更新する。
ステップＳ２１１において、前記更新された閾値が、解析設定DBデータテーブル２００の探索終了閾値の欄２１０に記録されているパラメータの値を越えたら、計測結果の探索をエラー終了して、本計測結果認識処理を終了する。前記更新された閾値が、探索終了閾値を越えていなければ、ステップＳ２０７、Ｓ２０８、Ｓ２０９の一連の処理を繰り返し実行する。【００４８】
図１３のフローチャートのステップＳ１０６に戻り、前記ステップＳ１０５の計測結果認識処理において、前記矩形領域内の計測結果の数字が全て正常に認識できた場合はステップＳ１０７へ、認識できなかった場合はステップＳ１０８へ進む。【００４９】
ステップＳ１０７において、計測データ処理装置１１１の計測データ出力部１１４は、ステップＳ１０２およびステップＳ１０５の実行結果に基づき計測データを生成する。計測データは少なくとも、計測器の識別情報と計測結果情報を有する。また、画像のファイル名や形式、保存時間などの画像情報や、画像入力を受け付けた時間、解析に要した時間、解析設定DBの画像処理パラメータを含んでも構わない。
計測データとして、計測器の識別情報と計測結果を合わせて保持することで、計測器を複数保有している場合、どの計測器で測定した計測結果かを一意に特定することができる。【００５０】
ステップＳ１０８において、計測データ処理装置１１１の計測データ出力部１１４は、ステップＳ１０２またはステップＳ１０５での実行に失敗した場合にエラーデータを生成する。エラーデータは、エラーを測定者に伝えるための特定の文字列（例えば”Error”など）である。文字列の中身が空（””）でもよく、情報量がなくても構わない。また、画像情報や、解析情報を含んでも構わない。また、ステップＳ１０２の実行が成功している場合には、ステップＳ１０２で判別した計測器の識別情報を含んでも構わない。
エラーデータとして、計測器の識別情報を含むことで、実行を失敗した箇所がステップＳ１０２ではなく、ステップＳ１０５であることが明確となり、対策を講じる手助けとなる。【００５１】
ステップＳ１０９において、計測データ処理装置１１１の計測データ出力部１１４は、ステップＳ１０７またはステップＳ１０８で生成されたデータを出力し、計測データ処理を終了する。【００５２】
図１６に示す検査帳票２２０の表示画面に戻り、前記検査帳票管理プログラムは、前記計測データ処理装置１１１の計測データ出力部１１４の出力を受け取り、計測データの場合には、カーソル２２７を表示していた実測値の欄に計測データを表示して、その計測結果が目標値２２２より公差２２３内に入っているかを判定して、合否２２５の欄に判定結果を表示する。そして、続いて検査項目Ｈ２の行の実測値の空欄２２８へカーソルを移動して、再び、本実施例の計測データ処理プログラムをCALLすることになる。なお、カーソル２２７において、前記計測データ出力部１１４の出力がエラーデータの場合には、検査帳票管理プログラムは、カーソルを移動せずに、測定者にエラーデータを提示して、再測定、または対策を講じることを促す運用が考えられる。【００５３】
以上の通り、本実施例の計測データ処理システム１００は、計測データを出力することで、計測結果を記録する電子化帳票などと組み合わせ、計測結果を自動的に収集する電子化帳票システムの構築が可能である。また、エラーデータを出力することで、測定者に計測結果を読み取れなかったことを示すことが可能である。【００５４】
また、解析結果に応じて、計測データまたはエラーデータを出力することで、電子化帳票システムにおいて、計測データの場合には次の計測結果入力項目に自動で進み、エラーデータの場合には再度同一項目の再計測を受け付けることが可能である。計測データとエラーデータとで電子化帳票システム内での処理フローを分けることで、エラーが発生した場合でも、計測作業のみを繰り返し行えばよい計測システムを構築可能である。例えば、計測器を両手で把持しなければならない場合、計測後、次の計測結果入力項目を自動選択することや、エラーの場合に同一項目を再計測することが可能となり、計測効率が向上し、計測時間が短縮される。【００５５】
なお、本実施例では、計測データ処理プログラムと、検査帳票管理プログラムが同一の計測データ処理装置上で実行される例を説明した。しかし、計測データ処理装置上で実行されるのは計測データ処理プログラムのみであって、検査帳票管理プログラムは他の計算機上で実行される場合でも同様にシステムを構築できる。その場合は、両計算機が通信手段により接続され、計測データ出力部１１４の出力は、通信部１５０を介して、他の計算機上の検査帳票管理プログラムへ出力されることになる。
【実施例２】
【００５６】
図４は第２の実施例である。図３と同じ部分には同じ符号を付してあり、構成、動作が同じであるので、説明を省略する。
図４では、図３と比較して、支持手段１１３が追加されている。支持手段１１３は計測器１０５に設置され、画像取得手段１０１を支持している。転送手段として有線以外の方式を用いれば、独立した計測器となる。  
支持手段１１３により、計測器１０５と画像取得手段１０１が一体化されることで、携帯可能な計測手段を提供できる。
【実施例３】
【００５７】
図５は第３の実施例である。図４と同じ部分には同じ符号を付してあり、構成、動作が同じであるので、説明を省略する。
図５では、図４と比較し、カバー１１４が追加されている。カバー１１４は計測器１０５に設置され、計測結果表示部１０４への外光の映り込みを防止する。カバー１１４により、外光の映り込みによる計測器識別媒体の読み取りエラーや計測結果の認識エラーがなくなることで、認識率が向上する。
【実施例４】
【００５８】
図６は第４の実施例である。図５と同じ部分には同じ符号を付してあり、構成、動作が同じであるので、説明を省略する。
図６では、図５と比較し、支持手段１１３が除かれ、代わりに支持手段１１５が追加されている。支持手段１１５はカバー１１４に設置され、画像取得手段１０１を支持している。
支持手段１１５により、支持手段１１３と比べ、計測器に設置させる部位を減らし、簡易な構造とすることができる。
【実施例５】
【００５９】
図７は第５の実施例である。図３と同じ部分には同じ符号を付してあり、構成、動作が同じであるので、説明を省略する。
図７では、図３と比較し、支持層１７１が追加されている。支持層１７１は計測結果表示手段３０４の上に配置され、計測器識別媒体３０２および３０３を支持している。計測結果表示手段１０４から発光される光は支持層１７１を透過したのち、各計測器識別媒体を透過する。【００６０】
支持層１７１上に複数の計測器識別媒体１０２Ａ，１０２Ｂを事前に配置しておくことで、複数の計測器識別媒体を計測結果表示手段１０４に配置する場合に、一度の作業でまとめて配置することができる。計測結果表示手段１０４から外す場合も同様に作業を簡易化できる。
また、支持層１７１の素材や厚みを変え、支持層１７１の透過率を変えることで、複数の計測器識別媒体の透過率を一律に変化させることができ、透過率の調整が容易となる。
【実施例６】
【００６１】
図８は第６の実施例である。図７と同じ部分には同じ符号を付してあり、構成、動作が同じであるので、説明を省略する。
図８では、図７と比較し、支持手段１７２が追加されている。支持手段１７２は計測器１０５に設置され、支持層１７１を支持している。計測結果表示手段１０４と支持層１７１の接触がなくなることで、計測器識別媒体を設置する際にディスプレイ面に傷を付け、視認性が低下するリスクを低減できる。
【実施例７】
【００６２】
図９および図１０は第７の実施例である。図３と同じ部分には同じ符号を付してあり、構成、動作が同じであるので、説明を省略する。
図９では、図３と比較し、支持層１７３および１７４が追加され、計測器識別媒体１０２が同一の計測器識別媒体が配置されている。支持層１７３および１７４は計測結果表示手段１０４の上に配置され、計測器識別媒体１０２をそれぞれ支持している。計測結果表示手段１０４から発光される光は各支持層を透過したのち、各計測器識別媒体を透過する。【００６３】
支持層１７３と１７４とで透明度の異なる素材を用いて透過率を変化させることで、同一の計測器識別媒体を用いた場合でも、各計測器識別媒体の透過率を変えることができる。
計測器識別媒体ごとに素材、厚み、識別コードの種類を変える必要がなくなることで、計測器識別媒体の作成、管理の工数が低減される。【００６４】
また、図１０では、図９と比較し、支持層１７４が１７５に変更されている。支持層１７３と１７５とで同一の素材でも厚みを変えることで透過率を変化させることができ、同様の効果が得られる。
【実施例８】
【００６５】
図１１は第８の実施例である。図３と同じ部分には同じ符号を付してあり、構成、動作が同じであるので、説明を省略する。
図１１では、図３と比較し、計測器識別媒体１０２Ａおよび１０２Ｂが除かれ、計測器識別媒体１０２Ｃが２つ追加されている。計測結果表示手段１０４の光量が位置によってムラがある場合（例えば、中央に光源が一つあり、中央から周囲にかけて光量が弱くなるなど）、計測器識別媒体１０２Ｃの設置場所を光量のムラに応じて変えることで、透過量を変化させることができる。
同一の計測器識別媒体を複数用意するのみで認識率を向上させることができ、準備工数を低減できる。
【実施例９】
【００６６】
図１２は第９の実施例である。図６と同じ部分には同じ符号を付してあり、構成、動作が同じであるので、説明を省略する。
図１２では、図６と比較し、計測器識別媒体１０２Ａおよび１０２Ｂが除かれ、計測器識別媒体１０２Ａ、１０２Ｂが各２つ、および支持層１７６，１７７が追加されている。
本実施例は、実施例４と実施例７を組み合わせ、さらに計測器識別媒体の数を２つから４つに増やしたものである。２種類の計測器識別媒体と２種類の支持層を組み合わせることで、計測器識別媒体の透過率を４段階にすることが可能である。【００６７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また実施例９に示したように、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【００６８】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。【００６９】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７０】
１００  計測データ処理システム
１０１  画像取得手段
１０２，１０２Ａ，１０２Ｂ  計測器識別媒体
１０４  計測結果表示部
１０５  計測器
１１１  計測データ処理装置
１１２  転送手段
１１３  支持手段
１１４  カバー
１１５  支持手段
１２０  制御部
１２１  計測器判定部
１２２  計測結果画像処理部
１２３  ＯＣＲ処理部
１２４  計測データ出力部
１３０  記憶部
１３１  計測データ処理プログラム記憶領域
１３２  解析設定DB
１３３  撮像画像データ記憶領域
１４０  入力部
１５０  表示部
１６０  通信部
１７１，１７３，１７４，１７５，１７６，１７７  支持層
１７２  支持手段
２００  解析設定DBのデータテーブル
２０１  計測データ処理対象欄
２０２  計測器識別コード欄
２０３  計測器欄
２０４  デジタル表示方法欄
２０５  画像回転欄
２０６  斜影抽出領域欄
２０７  矩形抽出領域欄
２０８  解析条件詳細設定欄
２０９  探索開始閾値欄
２１０  探索終了閾値欄
２２０  検査帳票の表示画面
【図１】
2016009740.tif 000003
【図２】
2016009740.tif 000004
【図３】
2016009740.tif 000005
【図４】
2016009740.tif 000006
【図５】
2016009740.tif 000007
【図６】
2016009740.tif 000008
【図７】
2016009740.tif 000009
【図８】
2016009740.tif 000010
【図９】
2016009740.tif 000011
【図１０】
2016009740.tif 000012
【図１１】
2016009740.tif 000013
【図１２】
2016009740.tif 000014
【図１３】
2016009740.tif 000015
【図１４】
2016009740.tif 000016
【図１５】
2016009740.tif 000017
【図１６】
2016009740.tif 000018
【国際調査報告】
2016009740.tif 000019
2016009740.tif 000020
2016009740.tif 000021
2016009740.tif 000022